(57)【要約】  縦方向に細長い定量室を採用した定量噴射機構の、噴射状態の良好化および組立ての容易化を図る。  定量室を主ハウジング４と、縦方向へのストレート内周面７ｃを有してその全体が直筒状で主ハウジング４に嵌合する定量室拡大用の追加ハウジング７とからなるものとし、追加ハウジング７に主ステム５と当接した一体化状態の延長ステム８とこれを上方に付勢するためのスプリング９とを配設した。スプリング９により延長ステム８と当接する主ステム５も間接的に上方に付勢される。定量室への流入弁は、追加ハウジング７の下端側部分に取り付けられた環状シール部材１０と、延長ステム８の下端側外面とにより構成される。
2020044532.tif 000002
【特許請求の範囲】
【請求項１】
エアゾール容器の縦方向へ延長した形の拡大定量室の流入弁および流出弁の作用によりその中の内容物が外部空間域に噴射される定量噴射機構において、
前記拡大定量室は、
前記流出弁が設定される主ハウジングと、
前記縦方向へのストレート内周面を有してその全体が直筒状で、前記主ハウジングに嵌合し、前記流入弁が設定される定量室拡大用の追加ハウジングとからなり、
前記流出弁は、
前記主ハウジングに配設されて内容物通過用の孔部およびそれに続く下流側の内容物通路部を持つ主ステムと、
前記主ハウジングの上端側部分に前記主ステムの外周面に当接する態様で取り付けられて、前記孔部および前記主ハウジングの間の開閉作用を呈する弾性変形可能な下流側環状弁部材とからなり、
前記流入弁は、
前記主ステムと当接した一体化状態で前記追加ハウジングに配設された延長ステムと、
前記追加ハウジングの下端側部分に取り付けられて、前記延長ステムの下端側外面との間の開閉作用を呈する弾性変形可能な上流側環状弁部材とからなり、
前記追加ハウジングは、
その内部に、前記延長ステムを上方に付勢して前記主ステムに当接させ、かつ、この当接作用により前記主ステムも併せて前記延長ステムから間接的に上方に付勢するための弾性部材を設けた、
ことを特徴とする定量噴射機構。
【請求項２】
前記主ステムおよび前記延長ステムの当接部分は、
その一方に凸状部を形成し、
その他方に前記凸状部を受けて保持する凹状部を形成したものである、
ことを特徴とする請求項１記載の定量噴射機構。
【請求項３】
請求項１または２記載のエアゾール容器の定量噴射機構を備え、かつ、噴射用ガスおよび内容物を収容した、
ことを特徴とするエアゾール式製品。
【発明の詳細な説明】
【技術分野】
【０００１】
本発明は、エアゾール式製品に用いられる定量噴射機構に関する。【０００２】
特に、噴射操作と直に連動して弁作用を呈するステムを収容した主ハウジング内部の下流側定量室、およびこの下流側定量室と縦方向に連通して噴射操作により開状態から閉状態へと移行する流入弁を備えた縦方向増設タンク構造の上流側定量室からなる定量噴射機構に関する。【０００３】
この増設タンク構造の上流側定量室は、通常の主ハウジング内部に設定される下流側定量室のいわば容量不足を補って、大容量の定量噴射を可能にしている。
【背景技術】
【０００４】
従来、液化ガスを噴射剤として内容物に混和して用いる定量噴射機構において、上流側の流入弁と下流側の放出弁との間が離間しかつ流路断面が細くなった定量室では、放出弁が開状態となったときに、その間の内容物、特に最も下側にあたる流入弁付近の内容物が十分に流出しないことが生じていた。【０００５】
内容物とともに定量室に貯留された噴射剤より気化して上側の放出弁付近に溜まった気化噴射剤は、噴射開始とともに下側の内容物を押さえつけながら外部空間域に放出され、また噴射開始後に気化した噴射剤も放出弁の方に向かって移動しながら膨張し、その下側の内容物を押さえつけるため、内容物を積極的に上側に押し出す作用が小さい。【０００６】
そのため、内容物の押し出し作用を確保するため、増設タンクは内容物の流れ方向としての縦方向の長さを抑え、その径方向に長い横広形状に設定されていた（特許文献１参照）。【０００７】
また、気化した噴射剤が内容物を押し出すＵ字ルートを増設タンクに採用する場合も、横広形状のタンクを用いている（特許文献２参照）。【０００８】
このような横広形状タンクを用いる場合、噴射操作時のステムの移動に伴い攪拌作用が、ステムから遠いハウジング内周面近くの内容物に及びにくいという点で改善の余地を残している。【０００９】
また、ＰＥＴなどのプラスチック製のエアゾール用容器や、ガラス製のエアゾール用容器のように強度確保の必要性から開口部が狭いエアゾール用容器の場合、横広形状の太い増設タンクではこの容器開口部を通過できないため増設タンクなしの定量噴射機構となり、その噴射容量の拡大という点で改善の余地を残している（特許文献３参照）。
【先行技術文献】
【特許文献】
【００１０】
【特許文献１】特開２００８−２６５７９４
【特許文献２】特開２００８−３０８１９７
【特許文献３】特開２０１４−０８８１８７
【発明の概要】
【発明が解決しようとする課題】
【００１１】
従前の定量室は、貯留した内容物を十全に放出するため、放出弁までの距離を短く設定したり、上方に気化して溜まる噴射剤が定量室下部の内容物を放出弁側に押し出すような構成としていた。【００１２】
そのため、噴射容量の拡大を目的とした場合に、縦方向に細長く設定した定量室では、上方に気化して溜まる噴射剤が定量室下部の内容物を放出弁側に押し出す作用が小さく、内容物を十全に放出して定量性を確保することが困難であると考えられてきた。【００１３】
しかしながら、本件出願人は、新たな発想に基づき多くの検討，実験，検証を行ったところ、今まで不適切と考えられてきた流路方向に細長く設定した定量室であっても、定量室の内部に内容物および噴射剤の攪拌を促す可動部材（ステム）が存在すれば、十分に内容物を放出することが可能であることを確認した。【００１４】
本発明では、開口部の狭いエアゾール用容器に適用可能な定量噴射機構を実現するという要請に対し、縦方向に細長い定量室を採用し、その内部に内容物および噴射剤の攪拌を促す可動部材となるステムを設定して噴射状態の良好化を図ることを目的とする。【００１５】
また、定量室の拡大にともない延長されるステムの延長部分を、当接により主ステムと連動する延長ステムのかたちで設けることで、組立ての容易化を図ることを目的とする。
【課題を解決するための手段】
【００１６】
本発明は、以上の課題を次のようにして解決する。
（１）エアゾール容器の縦方向へ延長した形の拡大定量室（例えば後述の下流側定量室Ａ，上流側定量室Ｂ，Ｃ）の流入弁（例えば後述の下端部８ｄ，環状シール部材１０）および流出弁（例えば後述の横孔部５ａ，ステムガスケット６）の作用によりその中の内容物が外部空間域に噴射される定量噴射機構において、
前記拡大定量室は、
前記流出弁が設定される主ハウジング（例えば後述の主ハウジング４）と、
前記縦方向へのストレート内周面（例えば後述のストレート内周面７ｃ，１３ｃ）を有してその全体が直筒状で、前記主ハウジングに嵌合し、前記流入弁が設定される定量室拡大用の追加ハウジング（例えば後述の追加ハウジング７，１３）とからなり、
前記流出弁は、
前記主ハウジングに配設されて内容物通過用の孔部（例えば後述の横孔部５ａ）およびそれに続く下流側の内容物通路部（例えば後述の内容物通路部５ｂ）を持つ主ステム（例えば後述の主ステム５）と、
前記主ハウジングの上端側部分に前記主ステムの外周面に当接する態様で取り付けられて、前記孔部および前記主ハウジングの間の開閉作用を呈する弾性変形可能な下流側環状弁部材（例えば後述のステムガスケット６）とからなり、
前記流入弁は、
前記主ステムと当接した一体化状態で前記追加ハウジングに配設された延長ステム（例えば後述の延長ステム８）と、
前記追加ハウジングの下端側部分に取り付けられて、前記延長ステムの下端側外面との間の開閉作用を呈する弾性変形可能な上流側環状弁部材（例えば後述の環状シール部材１０）とからなり、
前記追加ハウジングは、
その内部に、前記延長ステムを上方に付勢して前記主ステムに当接させ、かつ、この当接作用により前記主ステムも併せて前記延長ステムから間接的に上方に付勢するための弾性部材（例えば後述のスプリング９）を設けた、
構成態様のものを用いる。
（２）上記（１）において、
前記主ステムおよび前記延長ステムの当接部分は、
その一方に凸状部（例えば後述の下端部５ｃ）を形成し、
その他方に前記凸状部を受けて保持する凹状部（例えば後述の天面凹部８ａ）を形成した、
構成態様のものを用いる。【００１７】
このような構成からなるエアゾール容器の定量噴射機構およびこれを用いたエアゾール式製品を本発明の対象としている。
【発明の効果】
【００１８】
本発明は、以上の構成をとることにより、
開口部の狭いエアゾール用容器に適用可能な定量噴射機構の噴射状態の良好化を図り、
その定量噴射機構の組立ての容易化を図る、
ことを目的とする。
【図面の簡単な説明】
【００１９】
【図１】本発明の操作一回あたりの吐出量が１ｍＬ仕様の定量噴射機構の静止モード（流入弁：開，放出弁：閉）を示す説明図である。
【図２】図１の定量噴射機構の作動モード（流入弁：閉，放出弁：開）を示す説明図である。
【図３】図１の定量噴射機構の組み立てを示す説明図である。
【図４】本発明の操作一回あたりの吐出量が０．５ｍＬ仕様の定量噴射機構の静止モード（流入弁：開，放出弁：閉）を示す説明図である。
【発明を実施するための形態】
【００２０】
図１乃至図４を用いて、本発明を実施するための形態を説明する。
【００２１】
以下のアルファベット付き参照番号の構成要素（例えば仕切り部４ａ）は原則として、当該参照番号の数字部分の構成要素（例えば主ハウジング４）の一部であることを示している。
【００２２】
図１〜図４において以下の符号を用いる。
なお、追加ハウジング７は図１〜図３のみで用い、追加ハウジング１３は図４のみで用いる。
【００２３】
ここで、
１は噴射対象としての内容物および噴射剤としての液化ガスなどを収容した容器本体，
２は容器本体１の上側の開口部に取り付けられたマウンティングカップ，
３は容器本体１の上側の開口部とマウンティングカップ２の下面との間に配設されて、内容物や噴射剤の漏洩を防ぐマウンティングガスケット，
４はマウンティングカップ２の中央部分に係合保持されて、後述の主ステム５を収容し、後述の下流側定量室Ａを構成する筒状の主ハウジング，
４ａはその中央部に後述の主ステム５の下端部５ｃが通りかつ内容物・噴射剤の流路となる連通孔を有し、追加ハウジング７,１３を用いない場合に下面で後述の環状シール部材１０の上面を保持する仕切り部，
４ｂは仕切り部４ａより下側の垂下筒状部，
４ｃは主ハウジング４の仕切り部４ａより上側の内周面から突出した計六個の縦リブ状部，
４ｄは縦リブ状部４ｃに設けられ、後述の延長ステム８を用いない場合に、後述のスプリング９の下端部を保持する上向き段部，
５は噴射操作対象であり、マウンティングカップ２の中央孔部より突出する態様で主ハウジング４の内部に設けられた主ステム，
５ａは主ステム５に形成されて後述のステムガスケット６とともに放出弁（下流弁）を構成する計二個の横孔部，
５ｂは横孔部５ａからその下流側に形成された内容物通路部，
５ｃは後述の延長ステム８の天面凹部８ａに当接し、延長ステム８を使用しない場合は後述の環状シール部材１０とともに流入弁を構成する下端部，
５ｄは後述の延長ステム８を用いない場合に、後述のスプリング９の上端部を保持する下向き段部，
６はマウンティングカップ２の中央天井面と主ハウジング４との間に配設されて、その中央孔部が主ステム５の外周面に摺動可能に密接し、横孔部５ａの外開口側とともに放出弁（下流弁）を構成する周知のステムガスケット，
をそれぞれ示している。
【００２４】
また、
７はその全体が直筒状に形成され、垂下筒状部４ｂの外周面に嵌合する、１ｍＬ定量噴射用の追加ハウジング，
７ａは追加ハウジング７の内周面に設けられ、垂下筒状部４ｂの下端面と当接して主ハウジング４との嵌合位置を決める環状段部，
７ｂはその中央部に後述の延長ステム８の下端部８ｄが通りかつ内容物・噴射剤の流路となる連通孔を有し、上面で後述のスプリング９の下端部を保持し、下面で後述の環状シール部材１０の上面を保持する仕切り部，
７ｃは環状段部７ａと仕切り部７ｂとの間のストレート内周面，
７ｄは仕切り部７ｂおよびストレート内周面７ｃより突出し、後述の延長ステム８およびスプリング９を案内する計三個の縦リブ状部，
７ｅは仕切り部７ｂより垂下する態様で設けられた垂下筒状部，
８は追加ハウジング７または後述の追加ハウジング１３の内部に設けられ、放出操作による主ステム５の移動と連動する延長ステム，
８ａは主ステム５の下端部５ｃが当接して保持される天面凹部，
８ｂは垂下筒状部４ｂの内面に案内され、組立て時に下端部５ｃと天面凹部８ａとの位置を合致させる大径部，
８ｃは大径部８ｂの外周面に設けられ、内容物の流路を確保するスリット部，
８ｄは後述の環状シール部材１０とともに流入弁（上流弁）を構成する下端部，
８ｅは後述のスプリング９の上端を保持する下向き段部，
をそれぞれ示している。
【００２５】
また、
９は延長ステム８およびこれに当接する主ステム５を上側に付勢するスプリング，
１０はその中央孔部に下向きに垂下する環状スカート部を有し、延長ステム８の下端部とともに流入弁（上流弁）を構成する環状の環状シール部材，
１１は垂下筒状部７ｅ，後述の垂下筒状部１３ｅなどに嵌合し、環状シール部材１０の鍔状部の下面を保持する筒状のブッシュ，
１２はブッシュ１１の下端部に取り付けられて、容器本体１の内容物を流入弁に導入するディップチューブ，
Ａは主ハウジング４の内部に画定される約０．２ｍＬの下流側定量室，
Ｂは追加ハウジング７の内部に画定され、仕切り部４ａの中央孔部を介して下流側定量室Ａに連通する約０．８ｍＬの上流側定量室，
をそれぞれ示している。
【００２６】
また、図４において
１３はその全体が直筒状に形成され、垂下筒状部４ｂの外周面に嵌合する、０．５ｍＬ定量噴射用の追加ハウジング，
１３ａは追加ハウジング１３の内周面に設けられ、垂下筒状部４ｂの下端面と当接して主ハウジング４との嵌合位置を決める環状段部，
１３ｂはその中央部に後述の延長ステム８の下端部８ｄが通りかつ内容物・噴射剤の流路となる連通孔を有し、上面で後述のスプリング９の下端部を保持し、下面で後述の環状シール部材１０の上面を保持する仕切り部，
１３ｃは環状段部１３ａより上流側に続くストレート内周面，
１３ｄは仕切り部１３ｂとストレート内周面１３ｃとの間に設けられて、延長ステム８およびスプリング９を案内する小内径部，
１３ｅは仕切り部１３ｂより垂下する態様で設けられた垂下筒状部，
Ｃは追加ハウジング１３の内部に画定され、仕切り部４ａの中央孔部を介して下流側定量室Ａに連通する約０．３ｍＬの上流側定量室，
をそれぞれ示している。
【００２７】
ここで、主ハウジング４，主ステム５，追加ハウジング７，延長ステム８，ブッシュ１１，ディップチューブ１２および追加ハウジング１３は例えばポリプロピレン，ポリエチレン，ポリアセタール，ナイロン，ポリブチレンテレフタレートなどからなるプラスチック製のものである。
【００２８】
また、スプリング９は例えばプラスチック製または金属製のものである。マウンティングカップ２は例えば金属性のものである。マウンティングガスケット３，ステムガスケット６および環状シール部材１０は例えばポリプロピレン，ポリエチレンなどからなるプラスチック製や、ゴム製またはエラストマー製のものである。
【００２９】
容器本体１は例えばポリエチレンテレフタレート，ポリエチレンナフタレートなどのプラスチック製またはガラス製のものである。
【００３０】
容器本体１には、液状の内容物および噴射剤が収容され、上方には気化した噴射剤が溜まっている。液状の内容物および噴射剤は自然に混和するものが望ましいが、自然に混和しないものであれば使用直前に利用者が容器本体１を振るなどして混和すればよい。
【００３１】
図１は、操作一回あたりの吐出量が１ｍＬ仕様の定量噴射機構の静止モードを示している。
【００３２】
下流側定量室Ａおよび上流側定量室Ｂの容積はそれぞれ約０．２ｍＬ，約０．８ｍＬであり、これらは仕切り部４ａの中央孔部を介し常に連通して合計約１ｍＬの定量室を構成している。
【００３３】
追加ハウジング７はその全体が直筒状で細いので、容器本体１の狭い開口部であっても問題なく取り付ることができる。
【００３４】
図１の状態では、主ステム５と延長ステム８はスプリング９によって付勢され上方位置に設定され、主ステム５の横孔部５ａはステムガスケット６より上方に位置して放出弁は閉状態となり、延長ステム８の下端部８ｄが環状シール部材１０より離間して流入弁は開状態となり、下流側定量室Ａおよび上流側定量室Ｂには前回の操作において図示矢印の経路で流入した内容物および噴射剤が満たされた状態になっている。
【００３５】
主ステム５は、これに当接する延長ステム８を介して常に上方に弾性付勢されているので、主ステム５の下端部５ｃと延長ステム８の天面凹部８ａとが離間することはなく、主ステム５と延長ステム８とは常に一体に動く。
【００３６】
主ステム５と延長ステム８とを係合させる必要がないので、そのための組み立て工程が不要となる。延長ステム８とスプリング９を内部に配した追加ハウジング７を主ステム５を組み付けた主ハウジング４に嵌合すれば、垂下筒状部４ｂの内部に延長ステム８の大径部８ｂが案内されて、自然に天面凹部８ａが主ステム５の下端部５ｃに当接する。
【００３７】
なお一般的に、主ステム５の上端部には利用者の直接の操作物なる各種用途に合わせたアクチュエーター（図示省略）を取り付けて使用される。
【００３８】
図１の状態から、利用者の押下げ操作によって主ステム５が下方に移動すると、これに連動する延長ステム８の下端部８ｄが環状シール部材１０の内周面に当接して流入弁が閉状態となり、下流側定量室Ａおよび上流側定量室Ｂは閉空間に設定される。
【００３９】
また、主ステム５の押下げ操作により、下流側定量室Ａおよび上流側定量室Ｂに貯留する内容物と噴射剤が主ステム５や延長ステム８の側面によって攪拌される。
【００４０】
図２は、主ステム５がさらに押下げられた状態の、内容物が放出される作動モードを示している。
【００４１】
この状態では、主ステム５の横孔部５ａがステムガスケット６より下方に位置して放出弁が開状態となり、下流側定量室Ａと上流側定量室Ｂとが横孔部５ａを介して外部空間域に連通し、攪拌された噴射剤が気化して安定的に内容物とともに図示矢印の経路で内容物通路部５ｂより放出する。
【００４２】
このように、縦方向へのストレート内周面７ｃで画定される上流側定量室Ｂに延長ステム８を設けて、延長ステム８の側面によって上流側定量室Ｂに収容した内容物や噴射剤が攪拌されるので、その全体が直筒状の追加ハウジング７を採用しても安定的に内容物が放出される。
【００４３】
内容物および噴射剤が放出し終わると、下流側定量室Ａと上流側定量室Ｂの内部の圧力はほぼ大気圧になるまで下がる。
【００４４】
放出終了後、主ステム５の押下げを解除すると、スプリング９の付勢力で延長ステム８とこれに当接する主ステム５が上方に移動し、主ステム５の横孔部５ａがステムガスケット６で閉鎖されて放出弁が閉状態となる。
【００４５】
その後の主ステム５および延長ステム８の移動により、環状シール部材１０から下端部８ｄが離間して流入弁が開状態となると、内部の圧力の下がった下流側定量室Ａおよび上流側定量室Ｂに、容器本体１からの内容物および噴射剤が容器本体１に収容された噴射剤の気化圧力によって流入する。この流入した内容物および噴射剤が次回の放出対象となる。
【００４６】
主ステム５および延長ステム８は、主ステム５の中間段部がステムガスケット６に当接するするまで移動し、図１の静止モードに復帰する。
【００４７】
図３は、図１の定量噴射機構の組み立てを示している。
【００４８】
まず、マウンティングカップ２，マウンティングガスケット３，主ハウジング４，主ステム５およびステムガスケット６を共通な上側ユニットとして組み立てておく。
【００４９】
次に、必要とする定量室の容量にあわせて追加ハウジング７および延長ステム８を用意して、スプリング９，環状シール部材１０，ブッシュ１１とともに、上側ユニットに組み付ける。
【００５０】
ブッシュ１１には、容器本体１の底部までの距離にあわせたディップチューブ１２を取り付ける。
【００５１】
なお、追加ハウジング７および延長ステム８を捨象し、スプリング９を主ハウジング４の上向き段部４ｄと主ステム５の下向き段部５ｄとの間に配置し、環状シール部材１０およびブッシュ１１を主ハウジング４の垂下筒状部４ｂの内周面に取り付けることで、０．２ｍＬ仕様の定量噴射機構とすることができる。
【００５２】
このように、追加ハウジング７を使用しない小容量の定量噴射機構との部品を共有しているため、管理コストの低減化が可能となっている。
【００５３】
また、スプリング９，環状シール部材１０およびブッシュ１１の取付け以外は、前述の上側ユニットと同じなので、組み立てラインを共用でき、製造コストの低減化が可能である。
【００５４】
図４は、操作一回あたりの吐出量が０．５ｍＬ仕様の定量噴射機構の静止モードを示している。
【００５５】
図１とは、追加ハウジング７に代えて、長さが同じで定量室容量の異なる追加ハウジング１３が用いられている点で異なる。
【００５６】
下流側定量室Ａおよび上流側定量室Ｃの容積はそれぞれ約０．２ｍＬ，約０．３ｍＬであり、これらは仕切り部４ａの中央孔部を介し常に連通して合計約０．５ｍＬの定量室を構成している。
【００５７】
追加ハウジング１３は、追加ハウジング７と比較してストレート内周面７ｃに対応するストレート内周面１３ｃの部分が短く、ストレート内周面１３ｃより下方は、延長ステム８を通したときに、内容物の流路を確保できる程度の小さな内径に設定されている。
【００５８】
このように、追加ハウジング１３は、追加ハウジング７と同じ全長で、その中の上流側定量室Ｃを追加ハウジング７の上流側定量室Ｂより小さいものにしている。
【００５９】
これにより、延長ステム８を共通化して、製造コスト・管理コストの低減化が可能となる。また、追加ハウジング７と追加ハウジング１３の長さが共通なので、図１の定量噴射機構と同一の製造ラインで組み立てが可能である。
【００６０】
本発明のエアゾール容器の定量噴射機構が図示の実施形態に限定されるものでないことは勿論であり例えば、
追加ハウジング１３のストレート内周面１３ｃの長さを変えて操作一回あたりの吐出量が０．５ｍＬ以外の定量噴射機構とする、
マウンティングカップ２，マウンティングガスケット３などを替えて、容器開口部の大きい金属缶や、容器開口部も含め全体が細い金属缶に適用する、
延長ステム８の軸部に縦スリットなどを設けて定量室容量を変える、
などのようにしてもよい。
【００６１】
以上の定量噴射機構を備えたエアゾール式製品としては、洗浄剤，清掃剤，制汗剤，忌避剤，殺虫剤，医薬品，医薬部外品，化粧品，洗濯のりなどの各種用途のものがある。
【００６２】
エアゾール容器に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００６３】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ，酸化亜鉛，酸化チタン，ゼオライト，ナイロンパウダー，硫酸バリウム，セルロース，これらの混合物などを用いる。
【００６４】
油成分としては、ジメチルポリシロキサンなどのシリコーン油，ミリスチン酸イソプロピルなどのエステル油，パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸などを用いる。
【００６５】
アルコール類としては、エタノールなどの１価の低級アルコール，ラウリルアルコールやセタノールなどの１価の高級アルコール，エチレングリコール，１，３−ブチレングリコールやグリセリンなどの多価アルコールなどを用いる。
【００６６】
界面活性剤としては、ラウリル硫酸ナトリウムなどのアニオン性界面活性剤，ポリオキシエチレンアルキルエーテルやポリグリセリン脂肪酸エステルなどの非イオン性界面活性剤，ラウリルジメチルアミノ酢酸ベタインなどの両性界面活性剤，塩化アルキルトリメチルアンモニウムなどのカチオン性界面活性剤などを用いる。
【００６７】
高分子化合物としては、ヒドロキシエチルセルロース，メチルセルロース，ゼラチン，デンプン，カゼイン，キサンタンガム，カルボキシビニルポリマーなどを用いる。
【００６８】
各用途に応じた有効成分としては、パラフェニレンジアミン，アミノフェノールなどの染料，過酸化水素水などの酸化剤，アクリル系樹脂やワックスなどのセット剤，パラメトキシケイ皮酸２−エチルヘキシルなどの紫外線吸収剤，レチノールやｄｌ−α−トコフェロールなどのビタミン，ヒアルロン酸などの保湿剤，サリチル酸メチル，インドメタシンなどの消炎鎮痛剤，安息香酸ナトリウム，クレゾールなどの除菌剤，ピレスロイド，ジエチルトルアミドなどの害虫忌避剤，パラフェノールスルホン酸亜鉛などの制汗剤，カンフル，メントールなどの清涼剤，エフェドリン，アドレナリンなどの抗喘息薬，スクラロース，アスパルテームなどの甘味料，エポキシ樹脂，ウレタンなどの接着剤や塗料，パラフェニレンジアミン，アミノフェノールなどの染料，過酸化水素水などの酸化剤，リン酸二水素アンモニウム，炭酸水素ナトリウム・カリウムなどの消火剤などを用いる。
【００６９】
さらに、上記内容物以外の、懸濁剤，乳化剤，酸化防止剤，金属イオン封鎖剤なども用いることができる。
【００７０】
エアゾール式製品の噴射用ガスは、液化石油ガス，ジメチルエーテル，ハイドロフルオロオレフィンなどの液化ガスを用いる。
【符号の説明】
【００７１】
１：容器本体
２：マウンティングカップ
３：マウンティングガスケット
４：主ハウジング
４ａ：仕切り部
４ｂ：垂下筒状部
４ｃ：縦リブ状部
４ｄ：上向き段部
５：主ステム
５ａ：横孔部（放出弁）
５ｂ：内容物通路部
５ｃ：下端部
５ｄ：下向き段部
６：ステムガスケット（放出弁）【００７２】
７：追加ハウジング
７ａ：環状段部
７ｂ：仕切り部
７ｃ：ストレート内周面
７ｄ：縦リブ状部
７ｅ：垂下筒状部
８：延長ステム
８ａ：天面凹部
８ｂ：大径部
８ｃ：スリット部
８ｄ：下端部（流入弁）
８ｅ：下向き段部【００７３】
９：スプリング
１０：環状シール部材（流入弁）
１１：ブッシュ
１２：ディップチューブ
Ａ：下流側定量室
Ｂ：上流側定量室【００７４】
（図４）
１３：追加ハウジング
１３ａ：環状段部
１３ｂ：仕切り部
１３ｃ：ストレート内周面
１３ｄ：小内径部
１３ｅ：垂下筒状部
Ｃ：上流側定量室
【図１】
2020044532.tif 000003
【図２】
2020044532.tif 000004
【図３】
2020044532.tif 000005
【図４】
2020044532.tif 000006
【国際調査報告】
2020044532.tif 000007
2020044532.tif 000008
2020044532.tif 000009
2020044532.tif 000010